(57)【特許請求の範囲】
【請求項１】
基部と前記基部に関して開位置と閉位置の間で移動可能な蓋とを有する容器であって、
断面が四角または矩形であり、
前記蓋は、第1の平面領域を有し、かつ前記基部は、第2の平面領域を有し、
閉位置において、前記第1および第2の平面領域は、接着性の膜を受けるために適した実質的に平らな領域を含み、
前記実質的に平らな領域は、前記第1の平面領域の縁および前記第2の平面領域の少なくとも一部を含み、
前記基部は、床部および上方へ延長する側壁を含み、その少なくとも1つが第2の平面領域を含むリムを有し、
前記蓋には2つ以上の部分があり、そのそれぞれが基部にヒンジ結合されている、容器。
【請求項２】
前記第1の平面領域が前記蓋の残りの一部または全部に対して角度をもって置かれる、請求項1に記載の容器。
【請求項３】
請求項2に記載の容器であって、前記第2の平面領域は、リムに対して角度をもって傾けられている、容器。
【請求項４】
請求項1に記載の容器であって、それぞれのヒンジは、それぞれの蓋の一つの縁に位置し、かつ前記実質的に平らな領域には、その縁を含まない、容器。
【請求項５】
前記蓋および／または前記基部が機械的にロックするための手段を含む、請求項1〜4のいずれか1項に記載の容器。
【請求項６】
1つまたは複数の通気口、リブ、くぼみまたは凹部を含む、請求項1〜5のいずれか1項に記載の容器。
【請求項７】
吊し販売開口部を含む、請求項1〜6のいずれか1項に記載の容器。
【請求項８】
前記接着性の膜が自己接着性のラベルである、請求項1〜7のいずれか1項に記載の容器。
【請求項９】
複数の第1の平面領域および複数の第2の平面領域を有する、請求項1〜8のいずれか1項に記載の容器。
【請求項１０】
基部と前記基部に関して開位置と閉位置の間で移動可能な蓋とを有する容器であって、
前記蓋は、第1の平面領域を有し、かつ前記基部は、第2の平面領域を有し、
閉位置において、前記第1および第2の平面領域は、接着性の膜を受けるために適した実質的に平らな領域を含み、
前記実質的に平らな領域は、前記第1の平面領域の縁および前記第2の平面領域の少なくとも一部を含み、
前記基部は、床部および上方へ延長する側壁を含み、その少なくとも1つが第2の平面領域を含むリムを有し、
前記蓋には2つ以上の部分があり、そのそれぞれが基部にヒンジ結合されている、容器。
【発明の詳細な説明】
【技術分野】
【０００１】
発明の分野
本発明は、容器に関する。特に、本発明は、新鮮な食物または生産物を保つことが意図される容器に関するが、本発明の範囲は、この領域に限定されない。本発明は、特にタンパーエビデントラベルなどのラベルの張り付けを促進することができる形態の容器に関する。
【０００２】
オーストラリア特許出願第2007900654号および第2007902246号の優先権を主張し、これらの明細書の内容は、参照により本明細書に援用される。
【背景技術】
【０００３】
発明の背景
新鮮な食物または生産物の保持ために適した熱形成された容器を提供する。伝統的に、これらは、蓋と基部からなり、蓋は、基部にヒンジ結合されているか、またはそこから分離されている。蓋を基部に固定するために、これらの公知の容器では、「巻き付ける」様式で蓋および基部の両方に付着される1つまたは複数のラベルが必要である。自動化された設備では、一般に平らなラベル処理のためにデザインされているので、高出力操作では、「巻き付ける」（平らではない）ラベルを張りつける際に問題がある。
【０００４】
加えて、このタイプの容器に張り付けられるラベルは、通常その他の情報とともに、バーコードを有することが多い。平らではないラベルに対してバーコードを走査するには、問題があることがある。結果的に、この観点から、平らなラベルが好ましいであろう。
【０００５】
少なくとも一部の態様において、平らなラベルの張り付けを可能にする容器形状を提供することが本発明の目的である。
【０００６】
より最近では、2箇所がヒンジ結合された蓋容器が発明されている。オーストラリア特許第2003234951号を参照されたい。この特許の明細書は、2つの部分で提供される蓋を有する容器であって、それぞれの部分が基部にヒンジ結合されている容器を開示する。両方の蓋が閉じているときは、一般に容器上部の中央に蓋の縁全体に平らな領域を利用することができ、平らなラベルを張りつけることができる。こうして張り付けられた平らなラベルは、タンパーエビデントシールとしての役割を果たすことができる。
【０００７】
この従来技術の2箇所のヒンジ結合した蓋付きの容器は、多くの適用において十分に機能し得るが、このような様式でラベルを容器蓋の中央に接合箇所を横切って張り付けられことが望ましくない例もある。たとえば、ラベルは、特に蓋に対するラベル領域の比率が相対的高い場合、消費者が容器の内容を見るのを妨げてしまうであろう。もう一つの例として、より大きな容器に対して、標準サイズのラベルでは、タンパーエビデントシールを施すには不適当であることがわかるであろう。ラベルのサイズを大きくすべき場合には、これがラベルの費用に加わるであろうし、不経済であることがわかるであろう。その他の例では、容器にさらなる安全対策を備えることが望ましいであろう。
【０００８】
少なくとも一部の態様において、これらの懸念の一部もしくは全部を軽減すること、または少なくとも、種々の形状およびサイズの容器に適切した有用な代替物を提供することが、本発明の目的である。
【発明の概要】
【０００９】
発明の開示
従って、本発明は、基部と基部に関して開位置と閉位置の間で移動可能な蓋とを有する容器であって、蓋は、第1の平面領域を有し、かつ基部は、第2の平面領域を有し、閉位置において、第1および第2の平面領域は、接着性の膜を受けるために適した実質的に平らな領域を含み、実質的に平らな領域は、第1の平面領域の縁および第2の平面領域の少なくとも一部を含む、容器を提供する。
【００１０】
本発明の容器は、当該技術分野において現在公知である任意の適切な材料でできていてもよいが、好ましくは熱形成された、比較的薄いプラスチック材料である。適切な熱形成可能なプラスチック材料の例は、塩化ビニル（PVC）、ポリエチレンテレフタラート（PET）、ポリプロピレン、ポリアクチド（polyactide）（PLA）および二軸延伸ポリスチレン（BOPS）である。容器は、任意の望ましい形状であってもよい。現在、このタイプの最も人気のある容器は、断面が四角または矩形であり、これらは、その他の形状とともに本発明に包含される。
【００１１】
基部は、好ましくは床部および上方へ延長する側壁を含む。好ましくは、いくつかの態様において、第2の平面領域を含んでいてもよいリムにて側壁端の全てまたは少なくとも1つ。必要に応じて、リムは、売却過程の間に容器を支持するための手段を含んでいてもよい。たとえば、リムは、「オフシェルフ」ディスプレイのための吊し販売穴を含んでいてもよい。
【００１２】
蓋または基部は、通気口、リブもしくはアーチまたは意図される内容および／または販売の条件に適したその他の任意の修飾も含んでいてもよい。
【００１３】
基部および直立した側壁は、使用の際に、水平である開口部の形を定めてもよい。しかし、その他のバリエーションも可能である。たとえば、基部は、使用の際に、垂直である開口部の形を定めてもよいし、使用の際に垂直の向きに蓋によって閉じることが意図される。
【００１４】
蓋は、開位置と閉位置との間を基部に関して移動可能である。蓋は、ヒンジ結合されていても、またはさもなければ任意の適切な様式で基部に付着されていてもよい。あるいは、蓋は、基部から分離されていていてもよく、この場合、タンパーエビデンスが必要である場合には、蓋に2つ以上の第1の平面領域および基部に対応した2つ以上の第2の平面領域を有することが望ましい。
【００１５】
蓋は、一般に平らであってもよく、またはこれには、第1の平面領域に加えて、成形された部分（1つまたは複数のドーム、リブまたはアーチなど）を含んでいてもよい。任意に、蓋は、一旦容器が開けられたら消費者が必要であろう貯蔵品目のために有用であろう1つまたは複数の凹部を含んでいてもよい。このような品目には、食卓用金物、ドレッシングおよび調味料を含んでいてもよい。
【００１６】
蓋は、公知のタイプのもの、たとえば閉じたときに、基部に関して「内側取付け品（inside fitting）」または「外側取付け品（outside fitting）」の蓋であってもよい。
【００１７】
蓋は、単一の蓋であってもよく、または複数部分の蓋であってもよい。たとえば、本発明は、オーストラリア特許第2003234951号の2つの蓋付きの容器のタイプに適用できる。本態様は、下記の、図面に示してある。蓋は、2つよりも多くてもよい。
【００１８】
蓋および／または基部は、それぞれが締り嵌め型の嵌合において凹部で受けられる1つまたは複数の突起などの、任意の適切な機械的ロック機構を含んでいてもよい。これらは、たとえば、使用の際に、水平または垂直である表面に位置していてもよい。ロック機構のもう1つの例は、溝形式のロックである。
【００１９】
第1の平面領域は、蓋の上にあり、および好ましくは5cm2よりも大きい。ラベルまたはその他の接着性の膜を張りつけるときに、目的の少なくとも一部は、蓋を基部に固定することであるため、第1の平面領域は、好ましくは蓋の縁に隣接して位置する。好ましい態様において、第1の平面領域は、蓋が基部にヒンジ結合されるときは、蓋のヒンジ結合された縁の反対側に位置する。しかし、本発明は、これに限定されないことを理解すべきである。第1の平面領域は、蓋の任意の縁に隣接して、または任意のその他の所望の位置に位置してもよい。たとえば、第1の平面領域は、蓋の側面に位置してもよい（使用の際にほぼ垂直）。
【００２０】
第1の平面領域は、一般に基部の床部に対して平行であってもよい。しかし、その他の配置も可能である。たとえば、第1の平面領域は、蓋の残りの一部または全てに対して角度をもって置かれてもよい。例を下記の図面に図示してある。
【００２１】
第2の平面領域は、基部上にある。これは、任意の適切な形態を取ってもよく、多くのバリエーションが可能である。例として、第2の平面領域は、基部のためのリムに、またはその延長に、任意にリムに対して角度をもって傾けて、位置していてもよい。蓋は、第2の平面領域とのぴったりとしたフィット性のための外形を示してもよい。
【００２２】
接着性の膜を受け取るために適した実質的に平らな領域には、第1の平面領域の縁および第2の平面領域の少なくとも一部を含む。もちろん、接着性の膜（好ましくは、接着性のラベル）は、実質的に平らな領域に張り付けて、実質的に平らな領域に含まれる第1の平面領域において蓋および基部を接続してもよいことが意図される。第1および第2の平面領域は、隣接していてもよく、またはこれらは、部分的に重複していてもよい。一つの見地において、これらは、一般に共平面であると考えてもよいが、厳密に言うと、単純な重複がある場合、第1の平面領域から第2の平面領域への小さな段差があろう。
【００２３】
第1の平面領域の縁は、単に第2の平面領域の少なくとも一部に隣接していてもよい。もう一つの態様において、第1の平面領域の縁は、第2の平面領域の少なくとも一部と共に面取りされた迫台を形成してもよい。さらにもう一つの態様において、第1の平面領域の縁は、第2の平面領域を囲む。
【００２４】
実質的に平らな領域は、好ましくはヒンジに対して容器の反対側に、または1つよりも多いときは、それぞれのヒンジの反対側に位置する。しかし、本発明は、この配置に限定されない。
【００２５】
蓋が閉位置にあるときに、実質的に平らな領域は、好ましくは、一般に平らな様式で自動化されたアプリケータによって張り付けられる自己接着性のラベルなどの接着性の膜の張り付けのために適していることが明らかであろう。
【００２６】
接着性の膜は、好ましくは自己接着性のラベルであるが、それはその他の形態を取っていてもよい。たとえば、プラスチック、箔またはその他のシート材料熱封止可能な蓋をするフィルムであってもよい。
【００２７】
必要に応じて、接着性の膜は、実質的に平らな領域内の第1の平面領域の縁に、または縁に隣接して配置可能な目打ちまたはその他の弱い領域を有していてもよい。この目的は、消費者による容器の開口を単純化することである。
【００２８】
2つ以上の第1の平面領域および第2の平面領域がある場合、接着性の膜は、これらの全て、もしくはこれらの一部に、または1つの第1のプレーナ領域および1つの第2のプレーナ領域のみに張り付けしてもよい。必要に応じて、本発明の容器は、同一または類似の容器と共に入れ子にできる（nestable）または積み重ねられるようにデザインしてもよい。
【図面の簡単な説明】
【００２９】
本発明は、ここで、添付の図面のその一定の非限定的な例に関して記述する：
【図１】本発明に従った容器の第一の態様の平面図であり、開位置で基部にヒンジ結合された蓋を示す。
【図２】図1の態様に対応するが、閉位置の蓋を示す。
【図３】閉位置の蓋での図1および2の態様の側面図である。
【図４】本発明に従った容器の第2の態様の斜視図であり、基部から分離した蓋を有する。
【図５】図4の態様の分解図である。
【図６】図4の丸をした部分の詳細である。
【図７】図4の態様の平面図である。
【図８】図4の態様の正面図である。
【図９】図4の態様の側面図である。
【図１０】開位置のさらなる態様の平面図である。
【図１１】図10の態様の平面図であり、閉位置の蓋を示す。
【図１２】開位置のさらなる態様の平面図である。
【図１３】閉位置の図12の態様の平面図である。
【図１４】開位置のさらなる態様の平面図である。
【図１５】閉位置の図14の態様の平面図である。
【図１６】開位置のさらなる態様の平面図である。
【図１７】閉位置の図16の態様の平面図である。
【図１８】さらなる態様の側面図であり、第1および第2の平面領域は、基部および蓋に対して角度がある、蓋は、この図において開位置にある。
【図１９】閉位置の蓋をもつ図18の態様を示す。
【図２０】第1および第2の平面領域が蓋および基部に対して角度があるさらなる態様の側面図であり、開位置を示す。
【図２１】閉位置の図20の態様を示す。
【図２２】蓋が複数の部分にあるさらなる態様の平面図であり、開位置の蓋部分を示す。
【図２３】閉位置の蓋部分をもつ図22態様を示す。
【図２４】さらなる態様の平面図であり、開位置を示す。
【図２５】閉位置の図24態様を示す。
【図２６】開位置の平面図であるさらなる態様を示す。
【図２７】閉位置の図26態様を示す。
【発明を実施するための形態】
【００３０】
詳細な図面の説明
最初に図1、2および3を参照し、一般に10と命名した本発明の容器の第一の態は、基部12およびヒンジ16にて基部12にヒンジ結合された蓋14を有する。リム15は、傾斜部分17を有する。
【００３１】
基部12は、蓋14が閉じる前に、生産物を容器10に挿入する開口部20を定義する上方へ延長する側壁18を有する。基部12の壁18の上部端リムには、リム22があり（図1を参照）、そのそれぞれが傾斜部分23を有する。
【００３２】
本態様の蓋14は、本態様において、実質的に蓋14の全体を含む第1の平面領域24を有する。第2の平面領域は、図1で分かるように、リム22よりも広いリム部26によって形成される。傾斜部分23は、リム22からリム26へ上方に傾斜する。
【００３３】
閉位置では、図2に図示したように、第1の平面領域24は、第2の平面領域-リム26-と嵌合して、蓋14の縁28が基部12のリム26と嵌合した実質的に平らな領域を形成し、傾斜部分23を使用してこれらの間に面30が形成される。接着性のラベル32は、図2において適所に示される。
【００３４】
図1で分かるように、基部12の側壁18は、床部34の方へ先細りにされ、角36は、図示したように丸められる。
【００３５】
蓋14の上のへり15は、リム22を経て基部12に対して蓋14をロックするためのロック手段を含むことができる。
【００３６】
ここで図4〜9に図示した第2の態様に戻って、一般に40と命名した本発明の容器は、蓋44が閉じる前に、生成物が挿入去れ得る開口部50を定義する上方へ延長する側壁48と共に、基部42および分離した蓋44を有する。基部42は、本態様において第2の平面領域を含む、一対の拡張部56と共にリム52を有する。
【００３７】
蓋44は、リブ38および縁55によって定義される第1の平面領域54を有する。
【００３８】
単一のラベル（図示せず）は、第1の平面領域54および両方の第2の平面領域56の全体にわたって延長することができる。あるいは、第1の平面領域54の第1のカバー部分と隣接する第2の平面領域56の1つの2つの別々のラベルを使用してもよく、一方、第1の平面領域54の上方カバー部分および隣接する第2の平面領域56を、蓋44の中央部分46がないままにする。
【００３９】
図6に示したように、第2の平面領域56のそれぞれは、開口部または凹部58を含んでいてもよい。鋭い物体を第1の平面領域54、第2の平面領域56および開口部58をカバーするラベル（図示せず）を通して挿入して、開口部58を介してラベルを引き裂き、基部42から蓋44を除去するのを補助してもよい。
【００４０】
本実施例において、蓋44は、また除去タブ62を含み、基部42から蓋44を除去するのを補助してもよい。
【００４１】
容器40は、要望により、通気孔（図示せず）および基部42の床部66にくぼみ64を含んでいてもよい（図8を参照）。また、容器40は、蓋44に1つまたは複数の凹部を含んでいてもよい。これらは、中央部分46において、または別の所望の位置に含まれてもよい。このような凹部は、ラベルによって封着されることが好ましい。
【００４２】
第3の態様を図10および11にて示してあり、容器70は、16にて蓋74にヒンジ結合された基部72を有する。蓋74は、76にて切り取られおり、基部72は、平らな部分78を有する。図11で分かるように、蓋74が基部72の上で閉じているときに、切り取り部76は、平らな部分78を曝露させたままにする。ラベル60は、図11において点で輪郭を描いて示してあり、蓋74の第1の平面領域68上に、および基部72の平らな部分78（第2の平面領域）上に置かれたときに、蓋74は、基部72に効率的に封着される。平らな部分78は、リム22において盛り上がって位置し、その結果、蓋74の切抜き76によって曝露されたときに、第1の平面領域68は、平らな部分78と実質的に共平面である。
【００４３】
図12および13の次の態様は、図10および11のものと同様であり、同じ数を使用して、同じ部分または類似部分を、「a」を加えて示す。図10および11の態様において、蓋74の上の切り落とし部分76は、蓋74の縁の中央に置かれたのに対して、図12および13の態様では、切抜き部分76aは、蓋74aの2つの反対側の角に位置する。
【００４４】
同様に、平らな部分78aは、72a基部の角に位置する。
【００４５】
前述の態様での場合と同様に、蓋74aが基部72a上で閉じているときに、平らな部分78aは、第1の平面領域68aと実質的に共平面である。
【００４６】
図14および15に示した次の態様は、基部82および蓋84を有する容器80を示す。基部82は、狭いリム22および拡張されたリム86を有する。拡張されたリム86は、吊し販売穴90をもつさらなる部分88を含み、容器80をハンガー上に示すことができる。
【００４７】
拡張されたリム86は、蓋84が容器82上で閉じているときに、拡張されたリム86が蓋84と実質的に共平面であるようにデザインされており、これは、本態様において、第1の平面領域を含む。
【００４８】
図15で分かるように、ラベル60は、蓋84の右側および拡張されたリム86をカバーするように貼ることができる。
【００４９】
図16および17の態様は、図10および11および12および13に示したものと同様である。同じラベルを使用して、同じ部分または同様の部分を、文字「b」を加えて命名する。
【００５０】
容器70bは、基部72bおよび16にてヒンジ結合された蓋74bを有する。蓋74b上の切抜き76bは、閉位置において基部72b上の平らな部分78bを曝露するようにデザインされている（図17）。平らな部分78bは、リム22において盛り上がって位置し、その結果、第1の平面領域68bが平らな部分78bと実質的に共平面である。
【００５１】
この態様では、基部72bの上のロック凹部94内の摩擦嵌合のためにデザインされたロックラグ92を含む。図17から分かるように、ラベル60が貼り付けられたときに、これは、第1の平面領域68bおよび平らな部分78bだけでなく、ロックラグ92もカバーする。
【００５２】
図18〜21の態様は、第1および第2の平面領域がどのように蓋に対して、および基部の上のリムに対して角度をつけて置くかを図示する。
【００５３】
図18および19を参照して、容器100は、16にて基部102にヒンジ結合された蓋104を有する。蓋104は、使用の際に、蓋104から鈍角にて上方へ傾けられた延長部分106を含む。
【００５４】
基部102は、使用の際にリム22から鈍角にて傾けられる、延長部分108を有するリム22を有する。
【００５５】
閉位置では、延長部分106は、延長部分108と嵌合するようにデザインされている。延長部分106は、図10〜13または16および17においてすでに図示したものと同様に、1つまたは複数の切り抜きを有し、その結果、延長部分106に張り付けられる平らなラベル60は、延長部分106を切抜きまたは切抜き群によって曝露された延長部分108に結合する。
【００５６】
図20および21の態様は、図18および19のもののバリエーションであり、同じラベルを、文字「a」を加えて使用する。本態様では、蓋104aは、平らな部分106aで終わる。基部102a上のリム22は、下方への延長部分108aを有する。
【００５７】
閉位置において、延長部分106aは、縁98に沿って延長部分108aと嵌合して、実質的に共平面の表面96を提供し、その上には、ラベル60（図示せず）が蓋104aを基部102aに対して封着するように置かれるであろう。
【００５８】
図18〜21の態様は、分離した蓋をもつ容器に適応してもよいことが、当業者には明らかであろう。その場合、2つの延長部分106（または106a）および2つの延長部分108（または108a）があることが好ましい。
【００５９】
ここで、図22および23の態様を参照する。本態様では、容器110は、図22に示すように基部112を有する。しかし、蓋は、2つの部分、114aおよび114bのものである。蓋部分114aは、16aにて基部112にヒンジ結合される、一方、蓋部分114bは、ヒンジ16bにて基部112にヒンジ結合される。
【００６０】
それぞれの蓋部分114aおよび114bは、一対の切切抜き116aおよび116bを有する。蓋部分114aおよび114bは、図23に示すように閉位置にあるときに、切抜き116aおよび116bは、基部112上の平らな部分118を曝露する。蓋部分114aおよび114bは、公知の様式で、たとえばオーストラリア特許出願第2003234951号（その内容は、参照により本明細書に援用される）に記載されているように嵌合し、または重なってもよい。それにもかかわらず、蓋部分114aおよび114bのそれぞれは、基部112上の平らな部分118と実質的に共平面である第1の平面領域を提供する。このようにして、蓋部分114aおよび114bが閉位置にあるときに、ラベル60は、こうして提供される実質的に平らな領域上に張りつけることができる。
【００６１】
ここで、図24および25の態様を参照して、容器130は、ヒンジ16にて蓋124に対してヒンジ結合た基部122を有する。蓋124は、打ち抜き穴126を有する。蓋124は、一般に平らであり、第1の平面領域を提供する。
【００６２】
基部122は、形成されたセクション128、上部を有し、その平らな部分は、第2の平面領域を含む。図25から分かるように、閉位置において、形成されたセクション128は、形打ち抜き穴126と勘合して、実質的に平らな表面を形成する。ラベル（図示せず）は、形成されるセクション128および蓋124の介在部分をカバーするように張り付けしてもよい。あるいは、別々のラベルを張り付けてもよい。
【００６３】
図26〜27の態様は、図24〜25のものと同様であるが；図26〜27の容器140では、基部132が蓋134から分離している。加えて、4つの打ち抜き穴136および対応する4つの形成されたセクション138がある。図24および25の態様と同様に、「外側取付け品」タイプのものである蓋134が基部132上に置かれるときに、セクション138は、打ち抜き穴136に突き出て、ラベル張り付けのための実質的に平らな領域を提供する。
【００６４】
上記の種々の態様から、本発明の容器は、多数の形態で製造することができること、および加えて、単一の形態が異なるタイプのラベルの張り付けのために適しているであろうことが、認識されるであろう。蓋は、ヒンジ結合されていても、または分離していてもよい。
【００６５】
蓋は、実質的に平らであってもよく、またはこれらは、形づくられてもよく、非限定的な例として隆起、リブ、ドームがある。特に実質的に平らな蓋の場合、これらは、第2の平面領域または領域群が、たとえば蓋の反対側、蓋の反対の角に、またはヒンジの反対側の蓋の一方の側に生じることができるように、基部と嵌合するようにデザインされていてもよい。2つのヒンジをもつ2つの蓋である蓋の場合、第2の平面領域は、2つの対向する側に（平面図で閉じた蓋を見る）、またはたとえば四隅にあってもよい。
【００６６】
分離した蓋の場合、もう一度閉位置の平面図の容器を見て、第2の平面領域は、それぞれの四隅に、2つの対抗する側に、2つの対角の角に、全ての4つの側面の周辺に、または4つの側面のそれぞれに別々にあってもよい。これらは、可能な組み合わせのみの選択である。その他にも、当業者に明らかであろう。
【００６７】
産業上の利用可能性
本発明の容器は、単一の蓋または複数の蓋を有するかどうかにかかわらず、任意の現在公知の容器デザインに適応することができる。本発明により、手動または高速自動クロージャーおよび平らな自己接着ラベルに張り付けて、タンパーエビデンスを提供することができ、同時に最小数の稼働部分を使用する。本発明の容器は、重要なタンパーエビデンス能力を提供することができると共に、容器蓋を介して視野の妨害を最小限に維持する。一定の適用については、本発明の容器は、蓋領域に対してプレプリンティング、商標を付けること（branding）および栄養情報などの、代わりの図示法を首尾よく使用することもでき、したがって、ラベル要求を、より小さな、基本のタンパーエビデントラベルのみに減少される。
【図１】
0005744404.tif 000002
【図２】
0005744404.tif 000003
【図３】
0005744404.tif 000004
【図４】
0005744404.tif 000005
【図５】
0005744404.tif 000006
【図６】
0005744404.tif 000007
【図７】
0005744404.tif 000008
【図８】
0005744404.tif 000009
【図９】
0005744404.tif 000010
【図１０】
0005744404.tif 000011
【図１１】
0005744404.tif 000012
【図１２】
0005744404.tif 000013
【図１３】
0005744404.tif 000014
【図１４】
0005744404.tif 000015
【図１５】
0005744404.tif 000016
【図１６】
0005744404.tif 000017
【図１７】
0005744404.tif 000018
【図１８】
0005744404.tif 000019
【図１９】
0005744404.tif 000020
【図２０】
0005744404.tif 000021
【図２１】
0005744404.tif 000022
【図２２】
0005744404.tif 000023
【図２３】
0005744404.tif 000024
【図２４】
0005744404.tif 000025
【図２５】
0005744404.tif 000026
【図２６】
0005744404.tif 000027
【図２７】
0005744404.tif 000028